【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
伝達通路と、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状通路を画成しており、前記内側ライナは、前記内側ライナの外部に一体型突起部を備えており、前記突起部は、前記外側ハウジングと前記内側ライナとの間における所定の間隔を維持するために、前記外側ハウジングの前記基部の内部表面と係合するように配置されており、
前記熱交換管は前記環状通路に配置され、前記管は、前記システム内において、高圧冷媒から低圧冷媒への熱伝達を行うように設計および構成されており、前記管は、前記外側ハウジングの外側まで延びている入口端部および出口端部を有しており、
前記伝達通路は、前記環状通路の上端部および下端部にそれぞれ設けられており、前記伝達通路の一方は、前記環状通路と前記内側ライナの内部とを連通させる入口から成り、前記伝達通路の他方は、前記環状通路を前記ハウジングの外部に前記出口開口を通じて連通させる出口から成り、
前記内側ライナから引き出された蒸発した冷媒は、前記一方の伝達通路を通じて前記環状通路に入り、前記熱交換管に沿って前記環状通路を通り、前記他方の伝達通路へ流れ、前記蒸発した冷媒は前記他方の伝達通路から前記出口開口を介して前記アキュムレータを出ることを特徴とするアキュムレータ。
【請求項２】
空気調和システムに使用されるアキュムレータであって、
蓋と、入口開口と、出口開口と、周囲側壁と、基部と、から成る気密封止された外側ハウジングと、
前記外側ハウジング内に配置された内側ライナと、
伝達通路と、
高圧冷媒用内部熱交換器と、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状の隙間を画成しており、前記内側ライナは、前記蓋に隣接或いは接触している上端部を有しており、
前記伝達通路は、冷媒蒸気を前記容器から前記出口開口まで送給し、
前記内部熱交換器は前記環状の隙間に配置され、前記熱交換器は、前記外側ハウジングの外側まで延びている入口端部および出口端部を有しており、
前記内側ライナは、前記外側ハウジングからの過度な熱伝達から液体冷媒を保護するために、低い熱伝導率を有することを特徴とするアキュムレータ。
【請求項３】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
第１伝達通路及び第２伝達通路と、
前記内側ライナの底に形成されているブリードオリフィスと、
ガイドリブと、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状通路を画成しており、
前記熱交換管は前記環状通路に配置され、前記管は、前記システム内において、高圧冷媒から低圧冷媒への熱伝達を行うように設計および構成されており、前記管は、前記外側ハウジングの外側まで延びている入口端部および出口端部を有しており、
前記第１伝達通路及び前記第２伝達通路は、前記環状通路の上端部および下端部にそれぞれ設けられており、前記第１伝達通路は、前記環状通路と前記内側ライナの内部とを連通させる入口から成り、前記第２伝達通路は、前記環状通路を前記ハウジングの外部に前記出口開口を通じて連通させる出口から成り、
前記内側ライナの前記底に集まっているオイルは、前記ブリードオリフィスを通って、前記出口開口に流れる冷媒ガスに飛末同伴し、
前記ガイドリブは、前記内側ライナの前記底と前記外側ハウジングとの間に設けられており、前記ガイドリブは、前記冷媒ガスが前記ブリードオリフィスを跨いで流れるように前記冷媒ガスを案内するべく形成され、
前記第１伝達通路は前記環状通路の上端に形成され、前記第２伝達通路は前記内側ライナの前記底と前記外側ハウジングの底との間にあり、
前記内側ライナから引き出された蒸発した冷媒は、前記第１伝達通路を通じて前記環状通路に入り、前記熱交換管に沿って前記環状通路を通り、前記第２伝達通路へ流れ、前記蒸発した冷媒は前記第２伝達通路から前記出口開口を介して前記アキュムレータを出ることを特徴とするアキュムレータ。
【請求項４】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状通路を画成しており、
前記熱交換管は前記環状通路に配置され、前記管は、前記システム内において、高圧冷媒から低圧冷媒への熱伝達を行うように設計および構成されており、前記管は、前記環状通路内において周方向及び軸方向に延びているコイルから成り、前記管は、前記コイルの入口部及び出口部を提供しており、前記管は、前記入口部及び前記出口部が前記コイルの一端部に存在するように、２つ折りにされ且つコイル形状となっていることを特徴とするアキュムレータ。
【請求項５】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
第１伝達通路及び第２伝達通路と、
から成り、
前記内側ライナは、前記入口開口を通じて送給された冷媒を収容するための容器を形成する基部および周壁を有しており、前記内側ライナは、前記外側ハウジングの前記基部及び前記周囲側壁から離間して、前記外側ハウジングの前記基部及び前記周囲側壁とともに環状通路を画成しており、前記内側ライナは、前記内側ライナの下面にて開口している一体型の出口通路を有しており、前記出口通路は前記出口開口に連通しており、
前記熱交換管は前記環状通路に配置され、前記管は、前記システム内において、高圧冷媒から低圧冷媒への熱伝達を行うように設計および構成されており、前記管は、前記外側ハウジングの外側まで延びている入口端部および出口端部を有しており、
前記第１伝達通路及び前記第２伝達通路は、前記環状通路の両端部にそれぞれ設けられており、前記第１伝達通路は、前記環状通路と前記内側ライナの内部とを連通させる入口から成り、前記第２伝達通路は、前記環状通路と前記出口通路とを連通させる出口から成り、
前記内側ライナから引き出された蒸発した冷媒は、前記第１伝達通路を通じて前記環状通路に入り、前記熱交換管に沿って前記環状通路を通り、前記第２伝達通路へ流れ、前記蒸発した冷媒は前記第２伝達通路から前記出口通路に流れ込むことを特徴とするアキュムレータ。
【請求項６】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
伝達通路と、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状通路を画成しており、前記内側ライナは、前記入口開口を介して送給された前記冷媒が衝突するように配置されているそらせ板を内部に備えており、
前記熱交換管は前記環状通路に配置され、前記管は、前記システム内において、高圧冷媒から低圧冷媒への熱伝達を行うように設計および構成されており、前記管は、前記外側ハウジングの外側まで延びている入口端部および出口端部を有しており、
前記伝達通路は前記環状通路の上端部に設けられており、前記伝達通路は、前記環状通路と前記内側ライナの内部とを連通させ、前記伝達通路は、前記入口開口から流れる前記冷媒に対して、遮蔽されている位置に形成されており、
前記内側ライナから引き出された蒸発した冷媒は、前記伝達通路を通じて前記環状通路に入り、前記熱交換管に沿って前記環状通路を流れることを特徴とするアキュムレータ。
【請求項７】
空気調和またはヒートポンプシステムに使用されるアキュムレータであって、
頂部と、入口開口と、出口開口と、周囲側壁と、基部と、から成る気密封止された外側ハウジングと、
前記外側ハウジング内に配置された内側ライナと、
熱交換管と、
から成り、
前記内側ライナは、前記入口開口を通じて送給された冷媒を収容するための容器を形成する基部及び周壁を有しており、前記内側ライナは、前記外側ハウジングの前記基部及び前記周囲側壁から離間して、前記外側ハウジングの前記基部及び前記周囲側壁とともに環状通路を画成しており、
前記熱交換管は前記環状通路に配置され、前記管は、前記システム内において、高圧冷媒から低圧冷媒への熱伝達を行うように設計および構成されており、前記管は、前記環状通路内において周方向及び軸方向に延びているコイルから成り、前記管は、前記コイルの入口部及び出口部を提供しており、前記管は、前記入口部及び前記出口部が前記コイルの一端部に存在するように、２つ折りにされ且つコイル形状となっており、前記コイルは、概ね２つのらせん形状となっていることを特徴とするアキュムレータ。